(57)【要約】【課題】粘着力を確保しにくい凹凸のある容器において、特にシールの周辺部の粘着を良好にして、様々な環境で使用されても剥がれにくくする。【解決手段】蓋部２２と本体部２４からなる容器２０の本体部２４にその端部４を粘着させて、またぐようにして該蓋部２２を該本体部２４に固定する容器用粘着シール２であって、粘着層１０を備えた略帯状のシート体８からなり、該シート体８の端部４の少なくとも一部の辺に複数の切れ目６が繰り返し配置される容器用粘着シール２。前記端部４が前記容器２０の凹凸２６を有する位置に粘着され、該複数の切れ目６が該凹凸２６の周期より小さな繰り返し周期で配置されている。【選択図】  図２
2004345669.tif 000002
【特許請求の範囲】
【請求項１】
蓋部と本体部からなる容器の本体部にその端部を粘着させて、該蓋部をまたぐようにして該蓋部を該本体部に固定する容器用粘着シールであって、
粘着層を備えた略帯状のシート体からなり、該シート体の端部の少なくとも一部の辺に複数の切れ目が繰り返し配置される容器用粘着シール。
【請求項２】
前記端部が前記容器の凹凸を有する位置に粘着され、該複数の切れ目が該凹凸の周期より小さな繰り返し周期で配置されている、請求項１に記載の容器用粘着シール。
【請求項３】
前記端部が粘着される位置における前記凹凸が周期的な凹凸であり、
前記複数の切れ目は、前記周期的な凹凸の繰り返し方向に合うように前記端部に配置される、請求項１に記載の容器用粘着シール。
【請求項４】
凹凸を周囲に有する本体部と、該本体部の開口部を塞ぐ蓋部とを有する容器部と、
粘着層を備えた略帯状のシート体からなり、該シート体の端部の少なくとも一部の辺に複数の切れ目が繰り返し配置される容器用粘着シールと
を有し、
該容器用粘着シールが、該端部を該本体部に粘着させて、該蓋部をまたぐようにして該蓋部を該本体部に固定する、包装容器。
【発明の詳細な説明】
【０００１】
【発明が属する技術分野】
本発明は、容器に用いるシールおよび包装容器に関する。具体的には、容器によく密着するシールに関する。
【０００２】
【従来の技術】
従来より、商品販売用の容器の蓋を本体に固定するために、シールが用いられている。このシールは、本体と蓋とを固定するばかりでなく、商品が未開封であることを示すものであり、食品販売の分野において特に多用されている。
【０００３】
図４に食品販売の分野において用いられている従来のシールの例を示す。このシール３１は、容器２０の本体部２４と蓋部２２とを固定して容器が不用意に開封することを防止するため、容器２０が未開封であることを簡易的に示すためといった目的のほか、様々な情報（内容物が食品等の際には、商品名、原材料、賞味期限、製造者、バーコード等）を表示する目的も有している。シール３１は、端部３２が容器の本体部２４に粘着されてその機能を発揮している。こういった容器が食品の包装に用いられている場合には、シール３１の端部３２が剥がれた場合に、たとえ容器２０自体が開封されていなくとも、その商品の価値が著しく毀損される。したがって、このようなシールが本体部から不用意に剥がれてしまうことは避けなければならない。
【０００４】
一方、容器には様々なデザインのものが用いられる。図４の例では、本体部２４の外側面には縦のラインを形成する凹凸２６が付けられている。このデザインは、容器を保持する際の滑り止めなどのような技術的な目的や、包装のデザインの目的などで選択される。
【０００５】
また、食品用途では、容器が使用されたり保管される環境も様々である。例えば、食品の販売前であっても、冷蔵庫や冷凍庫、保温庫な内容の食品に合わせた環境に調整されるため、温度や湿度の変動が大きい。
【０００６】
【発明が解決しようとする課題】
容器本体表面に凹凸がある容器を用いる場合には、シールが当たる容器表面の面積が十分には確保されにくい。また、シールの粘着力は使用時の温度や湿度などの影響を強く受ける。さらに、冷気にさらされて結露などが生じやすい環境や、加熱される環境ではシールの基材の材料自体が影響を受けることもある。これらの影響によってシールの周辺部で剥がれが発生すると、その剥がれた部分がさらに環境の影響を受けやすくなり、シールの剥がれが急速に進行する場合がある。
【０００７】
本発明は、粘着力を確保しにくい容器においても、特にシールの周辺部の粘着を良好にして、様々な環境で使用されても剥がれにくい容器用粘着シールを提供することを課題とする。本発明は、また、そのようなシールを用いた包装容器を提供することを課題とする。
【０００８】
【課題を解決するための手段】
本発明では、上記課題を解決するために、シールの一部分が容易に変形するように構成する。
【０００９】
即ち、本発明では、蓋部と本体部からなる容器の本体部にその端部を粘着させて、該蓋部をまたぐようにして該蓋部を該本体部に固定する容器用粘着シールであって、粘着層を備えた略帯状のシート体からなり、該シート体の端部の少なくとも一部の辺に複数の切れ目が繰り返し配置される容器用粘着シールが提供される。
【００１０】
本発明のシールは、粘着層を有し、略帯状の形状にされる。この形状は、蓋と本体からなる容器に用いられ、蓋をまたぐようにして、容器に固定するのに適した形状である。この帯状の形状は、全体に帯状であれば良く、装飾や他の目的で全体の帯状の形状を保って変形された形状も含むものとすることができる。
【００１１】
本発明のシールのシート体は、紙やプラスティックフィルムなどの基材をシート体として用いる。このシート体には粘着層が設けられて粘着性のシールとなる。このシールは使用時までは適当なセパレータ（剥離紙）に付着されていてもよい。
【００１２】
帯状のシールには端部がある。このシールの端部に、その端部を構成する辺の少なくとも一部に複数の切れ目が繰り返して配置される。この切れ目は、例えば、概ね端部の周縁に垂直に切り込みを設けて作られている。これは、両方の端部であってもよく、また、片方の端部であってもよい。この複数の切れ目は、シールのシート体に入れられた切り込みであるため、シールに印刷を行なう際などに特に問題を生じるものではない。
【００１３】
本発明のシールが用いられる容器は、本体と蓋からなるものとすることができる。蓋は本体から完全に分離するもの、蝶番などによって開くもの、容器の本体は固いプラスティックで蓋はフィルム状のものなど各種の構造が用いられてもよい。このような本体と蓋で構成される容器には、上記特徴のシールが、蓋をまたぐように本体に粘着されることにより、本体と蓋とが互いに固定される。この固定は、開封が防止できる程度の簡易な固定から、密封を目的とする強固な固定まで様々な程度の固定とすることができる。このために、シート体の材質などが適宜選択される。また、容器の材質は特段限定するものではない。プラスティック、木材、金属など一般の材料が使用可能である。
【００１４】
このような容器用粘着シールは、例えば、容器の本体部に対して切れ目のある端部を配置して、中央部で蓋をまたがるように配置される。本発明のシールでは、切れ目のために端部が本体に対して良好に密着するために、容器が様々な環境に置かれても、シールの粘着作用が劣化しにくくなる。
【００１５】
本発明では、さらに、前記端部が前記容器の凹凸を有する位置に粘着され、該複数の切れ目が該凹凸の周期より小さな繰り返し周期で配置されている容器用粘着シールが提供される。
【００１６】
容器の凹凸を有する場合に、本発明のシールの端部は、その凹凸のある位置に粘着される。この凹凸は、典型的には、容器の本体部の周囲に形成されるものとすることができる。複数の切れ目は、容器に設けた凹凸のもつ周期より小さな繰り返し周期を有するように配置されている。なお、繰り返し周期との表現は、切れ目が複数配列されている状態での隣り合ったものとの間隔を表わしており、完全に周期的な切れ目の配列のみを意図するものではない。同様に、凹凸の周期との表現も、凹凸が完全に周期的であるもののみを指すものではない。
【００１７】
上記のように構成される本発明のシールでは、端部に設けた切れ目によって容器本体部の凹凸に沿うように、シール端部のシート体の形状が変形しやすくなる。これにより、シート体に設けた粘着層が粘着作用をもつ実効的な面積を稼ぐことができるので、シールの剥がれが防止できる。特に、端部の周囲部分の粘着が良好となるために、シールの周辺が良好に粘着し、シールの剥がれが初期段階で防止できる。この利点は、シールの剥がれが周辺から急速に進行する場合には特に有効である。
【００１８】
本発明では、さらに、前記端部が粘着される位置における前記凹凸が周期的な凹凸であり、前記複数の切れ目は、前記周期的な凹凸の繰り返し方向に合うように前記端部に配置される容器用粘着シールも提供される。
【００１９】
このような配列は、例えば、端部近傍の辺に凹凸の繰り返し方向と一致する方向の辺がある場合に、その繰り返し方向に沿った辺に切れ目を設けることにより実現する。凹凸が周期的なものである場合に、端部にも受けた切れ目が凹凸の繰り返し方向に合うように配列にされると、凹凸に対して端部の周辺部が忠実に沿うようになり、シールの剥がれが防止できる。
【００２０】
本発明では、これら以外にも、前記切れ目の形状や配置には様々な工夫が出来る。例えば、切れ目の長さを、端部近傍の辺における位置によって変更しても良い。端部の剥がれがおきやすい部分において、切れ目を長く設定しても良い。剥がれは、端部の周辺部などから生じるため、その周辺部の切れ目を長くすると、その部分でのシールと本体部との粘着が確保できて、剥がれが生じにくくなる。
【００２１】
本発明の別の態様では、凹凸を周囲に有する本体部と、該本体部の開口部を塞ぐ蓋部とを有する容器部と、粘着層を備えた略帯状のシート体からなり、該シート体の端部の少なくとも一部の辺に複数の切れ目が繰り返し配置される容器用粘着シールとを有し、該容器用粘着シールが、該端部を容器に粘着させて、該蓋部をまたぐようにして該蓋部を該本体部に固定する、包装容器が提供される。
【００２２】
包装容器とは、容器と容器用粘着シールとによって構成される。容器に凹凸がある場合であっても、上記のようにシールに切れ目を配置することによって、包装容器にシールが良く密着し、不用意にシールが外れることを防止することが出来る。
【００２３】
【発明の実施の形態】
以下、さらに図面を参照して本発明のシールおよび包装容器の実施の形態について説明する。
図１は、本発明のシールの構造を示す平面図である。シール２は、紙や、ポリエステルフィルムといったプラスティックフィルムなどのシート体８の片面に粘着層１０を設けたシート状の素材を帯状の適当な形状に切り出して形成される。
【００２４】
帯状のシール２には、端部４がある。この端部４において、シールの粘着性を用いることにより、シールが蓋を固定する。図１のシール２では、端部４がシール２の両側に配置される。この端部４は、粘着による固定がより確実の行なわれるよう、粘着面積を増すよう、例えば、幅を広く構成されている。シール２は、長さ（図の左右方向）が概ね１５ｃｍ程度、幅（図の上下方向）は中央部（図のふくらみ部分は除く）は概ね２ｃｍ程度、端部の幅は４ｃｍ程度に作成され、全体として略帯状となっている。
【００２５】
端部４には、その周辺の一部に切れ目６が配置されている。切れ目６は周期１ｍｍのピッチで配置され、切り込みの長さが１ｍｍ程度に作製されている。たとえ切れ目が作られていても、シールの表面に何らかの情報の印刷をすることには支障は生じない。
【００２６】
図２には、このシール２を用いて包装容器を構成した斜視図を示す。容器２０は、本体部２４と、その上部から覆い被さる蓋部２２とを有している。プラスティック製のデザート販売用の使い捨て容器である。容器本体部２４の側面には、凹凸２６が配置される。この凹凸２６はここでは縦方向に延びるストライプ状で、断面は一方向にうろこ様の傾斜と段差がつけられている。凹凸の周期は約５ｍｍである。
【００２７】
本実施の形態では、容器２０の本体部２４にデザート等の商品が入れられたのち、蓋部２２を用いて密閉される。この状態では人の手で容易に開封できるものである。さらに、その蓋部２２を本体部２４に固定するために、シール２が上部から粘着され、シール２の端部４は本体部２４の周囲の凹凸２６の部分に粘着される。シール２は、端部４以外の部分にも粘着層が配置されているので、蓋部２２にも粘着している。最終的にその容器２０の内部の商品を取り出すには、シール２を手や器具で切断したりはがしたりして、蓋を開封する。
【００２８】
端部４は、固定される際には押圧されて本体部２４の側面に押し付けられる。この際、端部４の周囲の切れ目６は、凹凸２６のへこみ部分にも押し付けられて、実効的な粘着面積を増す作用を有する。端部４が凹凸２６の形状に沿って粘着している様子を図３に示す。
【００２９】
本実施の形態では、端部４の周囲のうち、凹凸２６の繰り返し方向である水平方向の辺に合うように、その方向に沿った部分にのみ切れ目６が配置されている。なお、本実施の形態では、凹凸が容器の深さ方向に沿って伸び、水平方向に繰り返すように配置している。凹凸が水平方向に沿って伸び、容器の深さ方向に繰り返すように配置されている場合には、端部４の側辺（容器に貼り付けたときに垂直方向になる辺）に並ぶように切れ目６を配置することが有効である。
【００３０】
シール２と容器２０を組み合わせてこのように用いると、このような構成だけで包装容器として用いることができる。この包装容器では、シール２が剥がれない限り、自然に蓋部２２が開いてしまうことは無い。また、商品の販売時までシール２の剥がれなければ、食品が適切に取り扱われていることの一応の指標となる。
【００３１】
【発明の効果】
本発明によれば、シールの切れ目を配置した端部が容器本体に凹凸があってもその表面に良好に密着する。即ち、端部に設けた切れ目によって容器の凹凸に沿うように端部の周辺の形状が変形しやすくなる。また、凹凸が周期的なものである場合に、端部の切れ目がその繰り返し方向に合うような配列にされると、凹凸に対して端部の周辺部が忠実に沿うようになり、シールの剥がれが防止できる。
【００３２】
本発明によれば、特に端部の周囲に切れ目が設けられているために、端部の周囲部の粘着が良好となる。シール自体の周辺が良好に粘着しているとシールの剥がれは進行しにくくなる。
【００３３】
本発明の包装容器によれば、容器に凹凸がある場合であっても、上記のようにシールに切れ目を配置することによって、包装容器全体としての開封防止の機能が十分に発揮される。
【図面の簡単な説明】
【図１】本発明の実施の形態にかかるシールの平面図である。
【図２】本発明の実施の形態にかかるシールおよび容器の使用状態を示す斜視図である。
【図３】本発明の実施の形態にかかるシールおよび容器において、シールの粘着状態を示す斜視図である。
【図４】従来の実施の形態にかかるシールおよび容器の使用状態を示す斜視図である。
【符号の説明】
２、３１  シール
４、３１  端部
６  切れ目
８  シート体
１０  粘着層
２２  蓋部
２４  本体部
２６  凹凸
【図１】
2004345669.tif 000003
【図２】
2004345669.tif 000004
【図３】
2004345669.tif 000005
【図４】
2004345669.tif 000006